(57)【要約】【課題】放電ランプが正常点灯していない状態を簡単な構成により報知可能な高周波点灯装置および照明装置を提供する。【解決手段】交流電圧を高周波電圧に変換し、高周波電圧により放電ランプ９を付勢するインバータ回路５と、調光信号線１０，１０を介して入力される調光装置１１からの調光信号に応じて放電ランプ９が調光点灯されるようにインバータ回路５を制御する制御回路６と、放電ランプ９が正常点灯していないときに調光信号入力部４，４の間を短絡するように構成されている点灯状態検出手段７を具備する。【選択図】図１
2004335109.tif 000002
【特許請求の範囲】
【請求項１】
交流電源電圧が入力される交流電圧入力部と；
高周波電圧が出力される高周波出力部と；
調光装置から調光信号線を介して調光信号が入力される調光信号入力部と；
交流電圧入力部に入力された交流電圧を高周波電圧に変換して高周波出力部に出力し、放電ランプを付勢するように構成されているインバータ回路と；
調光信号入力部に入力された調光信号に応じて放電ランプが調光点灯されるようにインバータ回路を制御する制御回路と；
放電ランプの点灯状態を検出し、放電ランプが正常点灯していないときに調光信号入力部の間を短絡するように構成されている点灯状態検出手段と；
を具備していることを特徴とする高周波点灯装置。
【請求項２】
交流電源電圧が入力される交流電圧入力部と；
高周波電圧が出力される高周波出力部と；
調光装置から調光信号線を介して調光信号が入力される調光信号入力部と；
交流電圧入力部に入力された交流電圧を高周波電圧に変換して高周波出力部に出力し、放電ランプを付勢するように構成されているインバータ回路と；
調光信号入力部に入力された調光信号に応じて放電ランプが調光点灯されるようにインバータ回路を制御する制御回路と；
放電ランプの点灯状態を検出し、放電ランプが正常点灯していないときに調光信号入力部の間を短絡するように構成されている点灯状態検出手段と；
調光信号入力部に点灯状態検出手段を接続する点灯状態接続手段と；
を具備していることを特徴とする高周波点灯装置。
【請求項３】
点灯状態接続手段は、切換えスイッチであることを特徴とする請求項２記載の高周波点灯装置。
【請求項４】
点灯状態接続手段は、点灯状態検出手段を構成する部品の一部であることを特徴とする請求項２記載の高周波点灯装置。
【請求項５】
高周波出力部および放電ランプの接続を検出するランプ接続検出手段を備え、ランプ接続検出手段が高周波出力部および放電ランプの非接続を検出したときに、点灯状態検出手段は、調光信号入力部の間の短絡を解除することを特徴とする請求項１ないし４いずれか一記載の高周波点灯装置。
【請求項６】
請求項１ないし５いずれか一記載の高周波点灯装置と；
この高周波点灯装置から出力される高周波電圧により調光点灯される放電ランプと；
調光信号入力部に調光信号線を介して調光信号を送信するとともに、有電圧の調光信号を送信しているときに、かつ点灯状態検出手段により調光信号入力部の間が短絡されたときに、放電ランプが正常点灯していない旨を表示する制御手段を有して、造営物に配設されている調光装置と；
を具備していることを特徴とする照明装置。
【請求項７】
請求項１ないし５いずれか一記載の高周波点灯装置と；
この高周波点灯装置から出力される高周波電圧により調光点灯される放電ランプと；
調光信号入力部に調光信号線を介して調光信号を送信するとともに、有電圧の調光信号を送信しているときに、かつ点灯状態検出手段により調光信号入力部の間が短絡されたときに、放電ランプが正常点灯していない旨を外部装置へ送信する制御手段を有する調光装置と；
を具備していることを特徴とする照明装置。
【請求項８】
請求項１ないし５いずれか一記載の高周波点灯装置と；
この高周波点灯装置から出力される高周波電圧により調光点灯される放電ランプと；
調光信号入力部に調光信号線を介して調光信号を送信するとともに、有電圧の調光信号を送信しているときに、かつ点灯状態検出手段により調光信号入力部の間が短絡されたときに、ランプ異常信号をワイヤレス信号で送信する制御手段を有する調光装置と；
調光装置で調光信号に変換される調光制御信号をワイヤレス信号で調光装置へ送信するとともに、調光装置から送信されたランプ異常信号を受信するように構成されている送信機と；
を具備していることを特徴とする照明装置。
【発明の詳細な説明】
【０００１】
【発明の属する技術分野】本発明は、調光信号に応じて放電ランプを調光点灯させる高周波点灯装置および照明装置に関する。
【０００２】
【従来の技術】天井などの造営物に配設された照度センサにより検出される反射光に応じて、照明器具からの放射光を変化させ、照明エリアを目標照度で照明することが行われている（例えば、特許文献１参照。）。すなわち、コントローラ（照明制御装置）が反射光に応じた調光信号を個々の照明器具に配設されている点灯装置に送出することにより、照明器具からの放射光が変化される。ここで、照明エリアは、通常、複数個の照明器具からの放射光が照射されている。
【０００３】
上述のような照明器具の放電ランプを調光させる照明装置において、通常、調光信号は、ＰＷＭ調光信号が用いられており、オンデューティが０％のときには放電ランプが全光点灯され、オンデューティが大きくなるにしたがい、放電ランプは次第に調光されている（例えば、特許文献２参照。）。そして、ＰＷＭ調光信号は、コントローラおよび点灯装置の間に配線されている調光信号線により、コントローラから点灯装置に送出されている。
【０００４】
【特許文献１】特開平１１−２１４１７９号公報（第４頁、第１図）
【０００５】
【特許文献２】特開２０００−１８８１９７号公報（第６、第２図）
【０００６】
【発明が解決しようとする課題】複数個の照明器具のうち、ひとつの照明器具の放電ランプが寿命末期などにより不点になると、照明エリアからの反射光が変化するので、コントローラは、ＰＷＭ調光信号を大きく変化させ、残余の照明器具からの放射光を上昇させて照明エリアの照度を目標照度に維持しようとする。この結果、不点の放電ランプが気づかれにくく、長期間にわたり放置されやすいという欠点を有する。
【０００７】
本発明は、放電ランプが正常点灯していない状態を簡単な構成により報知可能な高周波点灯装置および照明装置を提供することを目的とする。
【０００８】
【課題を解決するための手段】請求項１に記載の高周波点灯装置の発明は、交流電源電圧が入力される交流電圧入力部と；高周波電圧が出力される高周波出力部と；調光装置から調光信号線を介して調光信号が入力される調光信号入力部と；交流電圧入力部に入力された交流電圧を高周波電圧に変換して高周波出力部に出力し、放電ランプを付勢するように構成されているインバータ回路と；調光信号入力部に入力された調光信号に応じて放電ランプが調光点灯されるようにインバータ回路を制御する制御回路と；放電ランプの点灯状態を検出し、放電ランプが正常点灯していないときに調光信号入力部の間を短絡するように構成されている点灯状態検出手段と；を具備していることを特徴とする。
【０００９】
本発明および以下の各発明において、特に言及しない限り、各構成は以下による。
【００１０】
交流電圧入力部は、電源線が直接に接続されてもよく、自身に接続されて高周波点灯装置から導出されたリード線を介して電源線に接続されるものであってもよい。同様に、高周波出力部および調光信号入力部は、それぞれランプ線または調光信号線が直接にあるいはリード線を介して接続されるものであってもよい。
【００１１】
調光信号が無電圧のとき、通常、放電ランプは全光点灯される。例えば調光信号がＰＷＭ調光信号であるとき、そのオンデューティが０〜５％のときに、放電ランプが全光点灯されるようにすると、オンデューティが０％のときは、調光信号が無電圧である。調光信号入力部の間が短絡されると、ＰＷＭ調光信号のオンデューティによらず、調光信号入力部の間には、無電圧のＰＷＭ調光信号が入力され、オンデューティ０％のＰＷＭ調光信号が入力されることと同等となる。
【００１２】
「放電ランプが正常点灯していないときに」とは、放電ランプが調光信号に応じた可視光を放射していない状態をいい、例えば放電ランプが不点、半波放電や微放電などをしている状態をいう。
【００１３】
本発明によれば、放電ランプが正常点灯していないときに、点灯状態検出手段により調光信号入力部の間が短絡されるので、この短絡を調光信号線から検出することにより、放電ランプの不点などの異常状態が報知（表示）可能である。そして、調光信号線から前記短絡を検出するので、高周波点灯装置は、構成が簡素であり、安価に製造される。
【００１４】
請求項２に記載の高周波点灯装置の発明は、請求項１に記載の高周波点灯装置の発明において、調光信号入力部に点灯状態検出手段を接続する点灯状態接続手段を具備していることを特徴とする。
【００１５】
調光信号入力部に点灯状態検出手段が接続されると、点灯状態検出手段により放電ランプが正常点灯していないときに調光信号入力部の間が短絡される。高周波点灯装置の調光信号入力部に調光信号を送信する調光装置が調光信号線を介して前記短絡を検出可能に構成されていると、調光装置は、前記短絡の検出により、放電ランプの不点などの異常状態を報知（表示）させることができる。
【００１６】
一方、調光装置が従来の調光装置であり、調光信号線を介して前記短絡を検出できない構成であるときには、調光信号入力部に点灯状態検出手段が接続されないようにする。すなわち、調光信号線は、通常、複数個の高周波点灯装置が並列的に接続されているので、ひとつの高周波点灯装置の調光信号入力部の間が短絡されると、残余の高周波点灯装置の調光信号入力部に無電圧の調光信号が入力されることになり、残余の高周波点灯装置により付勢される放電ランプは、全光点灯されることになる。したがって、調光信号入力部に点灯状態検出手段が接続されなくすることにより、ひとつの放電ランプが正常点灯していない状態となっても、残余の放電ランプは、調光装置から送信される調光信号に応じて調光点灯される。
【００１７】
本発明によれば、調光信号入力部に点灯状態検出手段を接続することが選択されることにより、調光信号線を介して調光信号入力部の間の短絡を検出できるように構成されている調光装置または当該短絡を検出できないように構成されている調光装置の両方に使用可能である。
【００１８】
請求項３に記載の高周波点灯装置の発明は、請求項２記載の高周波点灯装置において、点灯状態接続手段は、切換えスイッチであることを特徴とする。
【００１９】
切換えスイッチは、高周波点灯装置の部品が実装されている回路基板に取り付けられていると、スイッチの切換え操作が行いやすいとともに、運搬時の振動などに対する格別の保護を要しなくすることができる。
【００２０】
本発明によれば、切換えスイッチの切換え操作により、調光信号入力部への点灯状態検出手段の接続が容易に選択される。
【００２１】
請求項４に記載の高周波点灯装置の発明は、請求項２記載の高周波点灯装置において、点灯状態接続手段は、点灯状態検出手段を構成する部品の一部であることを特徴とする。
【００２２】
点灯状態検出手段を構成する部品の一部が欠けることにより、点灯状態検出手段は、調光信号入力部の間を短絡不能となる。
【００２３】
本発明によれば、点灯状態検出手段を構成する部品の一部の有無により、調光信号入力部に点灯状態検出手段が選択的に接続される。
【００２４】
請求項５に記載の高周波点灯装置の発明は、請求項１ないし４いずれか一記載の高周波点灯装置において、高周波出力部および放電ランプの接続を検出するランプ接続検出手段を備え、ランプ接続検出手段が高周波出力部および放電ランプの非接続を検出したときに、点灯状態検出手段は、調光信号入力部の間の短絡を解除することを特徴とする。
【００２５】
「高周波出力部および放電ランプの非接続を検出したときに」とは、例えば放電ランプが照明器具のランプソケットから取り外されたときを意味する。
【００２６】
調光信号線に複数個の高周波点灯装置が並列的に接続されていると、ひとつの放電ランプが正常点灯しなくなることにより、当該放電ランプを付勢する高周波点灯装置の調光信号入力部の間が短絡され、残余の高周波点灯装置の調光信号入力部に無電圧の調光信号が入力されることになる。これにより、残余の高周波点灯装置は、それぞれの放電ランプを全光点灯させる。ここで、正常点灯していない放電ランプを高周波出力部に接続させなくして、点灯状態検出手段が調光信号入力部の間の短絡を解除するようにすると、残余の高周波点灯装置の調光信号入力部の間に有電圧の調光信号が入力可能となり、残余の放電ランプは調光可能となる。
【００２７】
本発明によれば、ランプ接続検出手段が高周波出力部および放電ランプの非接続を検出したときに、点灯状態検出手段が調光信号入力部の間の短絡を解除するので、残余の高周波点灯装置の調光信号入力部に有電圧の調光信号が入力される。
【００２８】
請求項６に記載の照明装置の発明は、請求項１ないし５いずれか一記載の高周波点灯装置と；この高周波点灯装置から出力される高周波電圧により調光点灯される放電ランプと；調光信号入力部に調光信号線を介して調光信号を送信するとともに、有電圧の調光信号を送信しているときに、かつ点灯状態検出手段により調光信号入力部の間が短絡されたときに、放電ランプが正常点灯していない旨を表示する制御手段を有して、造営物に配設されている調光装置と；を具備していることを特徴とする。
【００２９】
「有電圧の調光信号を送信しているときに」とは、例えば調光装置からＰＷＭ調光信号が送信されるとき、そのオンデューティは０％を上回るものである。これにより、調光信号入力部の間には有電圧が印加され、調光信号入力部の間が短絡されたときに、調光信号線に短絡電流が流れる。この短絡電流を検出することによって、放電ランプが正常点灯していないことが検出可能となる。
【００３０】
本発明によれば、放電ランプが正常点灯していないときに、その旨が表示（報知）されるので、放電ランプの不点などの異常状態が認識されやすい。
【００３１】
請求項７に記載の照明装置の発明は、請求項１ないし５いずれか一記載の高周波点灯装置と；この高周波点灯装置から出力される高周波電圧により調光点灯される放電ランプと；調光信号入力部に調光線を介して調光信号を送信するとともに、有電圧の調光信号を送信しているときに、かつ点灯状態検出手段により調光信号入力部の間が短絡されたときに、放電ランプが正常点灯していない旨を外部装置へ送信する制御手段を有する調光装置と；を具備していることを特徴とする。
【００３２】
外部装置とは、例えばモニターやパーソナルコンピュータである。
【００３３】
本発明によれば、放電ランプが正常点灯していないときに、その旨が外部装置に送信されるので、外部装置において、放電ランプの不点などの異常状態が認識される。
【００３４】
請求項８に記載の照明装置の発明は、請求項１ないし５いずれか一記載の高周波点灯装置と；この高周波点灯装置から出力される高周波電圧により調光点灯される放電ランプと；調光信号入力部に調光信号線を介して調光信号を送信するとともに、有電圧の調光信号を送信しているときに、かつ点灯状態検出手段により調光信号入力部の間が短絡されたときに、ランプ異常信号をワイヤレス信号で送信する制御手段を有する調光装置と；調光装置で調光信号に変換される調光制御信号をワイヤレス信号で調光装置へ送信するとともに、調光装置から送信されたランプ異常信号を受信するように構成されている送信機と；を具備していることを特徴とする。
【００３５】
本発明によれば、放電ランプが正常点灯していないときに、調光装置からランプ異常信号が送信機に送信されるので、送信機において、放電ランプの不点などの異常状態が認識される。
【００３６】
【発明の実施の形態】以下、本発明の一実施の形態について、図面を参照して説明する。まず、本発明の第１の実施形態について説明する。
【００３７】
図１〜図６は、本発明の第１の実施形態を示し、図１は高周波点灯装置の回路図、図２は調光装置のブロック図、図３は調光装置への高周波点灯装置の接続図、図４は照明装置の構成図、図５はセンサ装置の斜視図、図６は他の調光装置のブロック図である。
【００３８】
図１において、高周波点灯装置１は、交流電圧入力部としての交流電圧入力端子２，２、高周波出力部としての高周波出力端子３ａ〜３ｄおよび調光信号入力部としての調光信号入力端子４，４を備え、インバータ回路５、制御回路６および点灯状態検出手段としての点灯状態検出回路７を有して構成されている。
【００３９】
交流電圧入力端子２，２は、インバータ回路５の入力側に接続され、かつ電源線８，８を介して商用交流電源Ｖｓに接続されており、商用交流電源Ｖｓからの交流電圧（交流電源電圧）をインバータ回路５の入力側に入力させる。
【００４０】
高周波出力端子３ａ〜３ｄは、インバータ回路５の出力側に接続され、かつ放電ランプとしての蛍光ランプ９に接続されている。すなわち、高周波出力端子３ａ，３ｂは、蛍光ランプ９の一方のフィラメント電極９ａの両端間に接続され、高周波出力端子３ｄ，３ｄは、他方のフィラメント電極９ｂの両端間に接続されている。また、高周波出力端子３ｂ，３ｄには、蛍光ランプ９を始動させ、かつフィラメント電極９ａ，９ｂを予熱する始動用コンデンサＣ１が接続されている。
【００４１】
調光信号入力端子４，４は、調光信号線１０，１０を介して調光装置１１に接続され、かつ整流装置１２の入力側に接続されている。この整流装置１２は、ダイオードＤ１〜Ｄ４を用いたダイオードブリッジ構造に形成されており、出力側に限流用の抵抗Ｒ１およびフォトカプラＰＣ１のフォトダイオードＰｈＤ１の直列回路が接続されている。そして、フォトカプラＰＣ１のフォトトランジスタＰＴｒ１が制御回路６およびアース線（基準線）Ｅｌ１に接続されている。
【００４２】
調光信号入力端子４，４には、調光装置１１よりＰＷＭ調光信号が入力される。そして、ＰＷＭ調光信号がオン期間のときに、フォトカプラＰＣ１のフォトダイオードＰｈＤ１に電流が流れて、フォトトランジスタＰＴｒ１がオンし、ＰＷＭ調光信号がオフ期間のときに、フォトダイオードＰｈＤ１に電流が流れず、フォトトランジスタＰＴｒ１はオフする。これにより、ＰＷＭ調光信号のオン期間、オフ期間が制御回路６に入力される。なお、フォトカプラＰＣ１は、調光信号入力端子４，４および制御回路６を絶縁させている。
【００４３】
インバータ回路５は、交流電圧入力端子２，２を介して商用交流電源Ｖｓから入力した交流電圧を直流電圧に変換する整流平滑回路（図示しない。）およびスイッチ素子（図示しない。）を備え、スイッチ素子のスイッチング動作により当該直流電圧を高周波電圧に変換するインバータ部（図示しない。）を有して構成されている。そして、高周波電圧は、高周波出力端子３ａ〜３ｄに出力され、蛍光ランプ９を付勢する。なお、インバータ回路５は、蛍光ランプ９の不点などにより、所定期間にわたり二次電圧（無負荷電圧）が出力されていると、二次電圧の低下を行わせる安全回路（図示しない。）が具備されている。
【００４４】
制御回路６は、インバータ回路５のインバータ部に接続されており、調光信号入力端子４，４に入力されたＰＷＭ調光信号に応じて、スイッチ素子のスイッチング周波数を変化させるように構成されている。ここで、制御回路６は、ＰＷＭ調光信号のオンデューティが０〜５％のときに、蛍光ランプ９が全光点灯されるスイッチング周波数でスイッチ素子を制御し、ＰＷＭ調光信号のオンデューティが５％より大きくなるにしたがい、スイッチング周波数を大きくするように形成されている。蛍光ランプ９は、スイッチ素子のスイッチング周波数が変化することにより、調光点灯される。
【００４５】
調光信号入力端子４，４の間が短絡されると、調光信号入力端子４，４の間は無電圧状態となる。すなわち、オンデューティ０％である無電圧のＰＷＭ調光信号が調光信号入力端子４，４の間に入力されていることと同等である。このとき、制御回路６は、蛍光ランプ９が全光点灯されるようにインバータ回路５のスイッチ素子を制御する。そして、ＰＷＭ調光信号のオンデューティが５％より大きくなるにしたがい、調光信号入力端子４，４間には、オンデューティに応じた有電圧が印加される。こうして、制御回路６は、ＰＷＭ調光信号のオンデューティに応じて蛍光ランプ９を全光から調光下限値まで点灯させる。調光下限値は、例えば蛍光ランプ９の全光１００％に対する２５％であり、この調光下限値におけるＰＷＭ調光信号のオンデューティが例えば８０〜１００％のときに設定されている。
【００４６】
点灯状態検出回路７は、蛍光ランプ９のランプ電圧を検出するために、抵抗Ｒ２および抵抗Ｒ３の直列回路からなるランプ電圧検出回路１３を高周波出力端子３ｂ，３ｃ間に接続している。すなわち、高周波出力端子３ｂ，３ｃ間は、蛍光ランプ９のフィラメント電極９ａ，９ｂ間に接続されており、蛍光ランプ９のランプ電圧は、抵抗Ｒ２および抵抗Ｒ３により分圧される。なお、高周波出力端子３ｃ間は、アース線Ｅｌ１に接続されている。
【００４７】
そして、抵抗Ｒ３の両端に、整流平滑回路１４が接続されている。整流平滑回路１４は、ダイオードＤ５およびダイオードＤ６の直列回路、この直列回路の両端にそれぞれ接続された抵抗Ｒ４およびコンデンサＣ２を有してなり、ダイオードＤ５の両端が抵抗Ｒ３の両端に接続されている。抵抗Ｒ３に流れる電流は、ダイオードＤ５，Ｄ６により整流され、コンデンサＣ２に蓄積される。これにより、抵抗Ｒ３の両端電圧がコンデンサＣ２の両端間に形成され、コンデンサＣ２の両端電圧は、蛍光ランプ９のランプ電圧に相関している。抵抗Ｒ４は、高抵抗値を有し、コンデンサＣ２と時定数回路を形成しており、コンデンサＣ２の蓄積電荷を放電させる。
【００４８】
そして、コンデンサＣ２の両端には、逆接続されたツェナーダイオードＺＤ１および抵抗Ｒ５からなる直列回路、フォトカプラＰＣ２のフォトダイオードＰｈＤ２およびサイリスタＳＣＲ１の直列回路がそれぞれ接続されている。そして、サイリスタＳＣＲ１のゲート、カソード間に抵抗Ｒ５の両端が接続されている。フォトカプラＰＣ２のフォトトランジスタＰＴｒ２は、抵抗Ｒ１およびフォトカプラＰＣ１のフォトダイオードＰｈＤ１の直列回路の両端間、すなわち整流装置１２の出力側に接続されている。
【００４９】
ツェナーダイオードＺＤ１は、コンデンサＣ２の両端電圧が所定電圧以上のときに導通するように予め設定されている。当該所定電圧は、例えば蛍光ランプ９の寿命末期時あるいは寿命末期前のランプ電圧である。すなわち、蛍光ランプ９は、ランプ寿命に近づくにつれ、ランプ電圧が上昇する。そして、寿命末期になると、半波放電などの正常点灯しない状態となり、あるいは不点となる。このときに、ツェナーダイオードＺＤ１を導通させるものである。
【００５０】
ツェナーダイオードＺＤ１が導通すると、抵抗Ｒ５にコンデンサＣ２からの電流が流れ、コンデンサＣ２の両端電圧が抵抗Ｒ５の両端間に発生する。抵抗Ｒ５の両端電圧は、サイリスタＳＣＲ１のゲート、カソード間に印加されるので、サイリスタＳＣＲ１が導通する。サイリスタＳＣＲ１が導通すると、フォトカプラＰＣ２のフォトダイオードＰｈＤ２およびサイリスタＳＣＲ１の直列回路にコンデンサＣ２からの電流が流れ、フォトトランジスタＰＴｒ２がオンする。
【００５１】
フォトトランジスタＰＴｒ２がオンすると、整流装置１２の出力側が短絡される。整流装置１２の出力側の短絡により、整流装置１２の入力側が短絡され、調光信号入力端子４，４の間が短絡される。調光信号入力端子４，４の間が短絡されると、調光信号入力端子４，４の間は、無電圧状態となる。すなわち、調光装置１１から調光信号線１０を介してオンデューティ０％を上回る有電圧であるＰＷＭ調光信号が送信されていても、調光信号入力端子４，４には、無電圧のＰＷＭ調光信号が入力されている。
【００５２】
インバータ回路５は、通常、蛍光ランプ９の不点などにより、二次電圧（無負荷電圧）などの非常に高い高周波電圧が所定期間にわたり出力されると、安全回路が動作して、高周波電圧（出力電圧）を低下させるように制御されている。これにより、蛍光ランプ９のフィラメント電極９ａ，９ｂ間の電圧および抵抗Ｒ３の両端電圧が低下し、コンデンサＣ２の両端電圧が所定電圧を下回るようになるので、ツェナーダイオードＺＤ１がオフして、サイリスタＳＣＲ１のカソード、ゲート間にゲート電圧が印加されなくなる。
【００５３】
ここで、インバータ回路５の高周波電圧（出力電圧）が低下しても、高周波出力端子３ａ、蛍光ランプ９のフィラメント電極９ａ、高周波出力端子３ｂ、ランプ電圧検出回路１３の抵抗Ｒ２、整流平滑回路１４のダイオードＤ６、フォトカプラＰＣ２のフォトダイオードＰｈＤ２およびサイリスタＳＣＲ１の直列回路、アース線Ｅｌ１の経路で電流が流れ、フォトカプラＰＣ２のフォトトランジスタＰＴｒ２がオン状態を継続するので、調光信号入力端子４，４の間は、引き続き、点灯状態検出回路７により短絡される。抵抗Ｒ２、整流平滑回路１４のダイオードＤ６、フォトカプラＰＣ２のフォトダイオードＰｈＤ２およびサイリスタＳＣＲ１の直列回路は、高周波出力端子３ａ，３ｂおよび蛍光ランプ９の接続を検出するランプ接続検出手段としてのランプ接続検出回路を形成している。
【００５４】
そして、高周波出力端子３ａ〜３ｄに蛍光ランプ９のフィラメント電極９ａ，９ｂを接続させなくすると、インバータ回路５から前記ランプ接続検出回路に電流が流れなくなり、フォトカプラＰＣ２のフォトトランジスタＰＴｒ２がオフする。これにより、点灯状態検出回路７による調光信号入力端子４，４の間の短絡が解除される。
【００５５】
上述したように、点灯状態検出回路７は、蛍光ランプ９の点灯状態を常時検出し、不点や半波放電など、蛍光ランプ９が正常点灯していないときに調光信号入力端子４，４の間を短絡するように構成されている。そして、ランプ接続検出回路が高周波出力端子３ａ〜３ｄおよび蛍光ランプ９の非接続を検出したときに、調光信号入力端子４，４の間の短絡を解除するように構成されている。
【００５６】
そして、調光装置１１は、調光信号線１０，１０を介して高周波点灯装置１の調光信号入力端子４，４の間が短絡されたことを検出し、蛍光ランプ９が正常点灯していない旨のランプ異常信号を外部装置１５に送信するものである。
【００５７】
調光装置１１は、図２に示すように、照度入力部１６、ワイヤレス受信部１７、ワイヤレス送信部１８、人体検出部１９、表示部２０、記憶部２１、伝送部２２、短絡検出部２３、電源部２４および制御手段としての制御部２５を有して構成されている。
【００５８】
照度入力部１６、ワイヤレス受信部１７、ワイヤレス送信部１８、人体検出部１９および表示部２０は、後述の照度センサ３２、受信素子３３、送信用ＬＥＤ３４、人感センサ３５および表示用ＬＥＤ３６にそれぞれ接続されている。
【００５９】
照度入力部１６は、照度センサ３２の検出電圧（照明制御信号）を入力して制御部２５に送出するように構成されている。ワイヤレス受信部１７は、外部装置１５から送信されたオンオフ制御信号や調光制御信号などの照明制御信号および目標照度の設定信号や解除信号などの外部信号を入力して制御部２５に送出するように構成されている。また、ワイヤレス送信部１８は、制御部２５から送出された返信信号を送信用ＬＥＤ３４から外部装置１５に向かって送信させるように構成されている。返信信号には、蛍光ランプ９が正常点灯していない旨のランプ異常信号が包含されている。
【００６０】
人体検出部１９は、人感センサ３５が検出した人体の検出信号を制御部２５に送出するように構成されている。制御部２５は、人体検出部１９から人体の検出信号を入力すると、蛍光ランプ９を点灯させる照明制御信号を伝送部２２から調光信号線１０，１０を介して高周波点灯装置１に送出させる。
【００６１】
表示部２０は、制御部２５の制御により表示用ＬＥＤ３６を点灯または消灯させるように構成されている。すなわち、制御部２５は、調光装置１１が駆動（動作）しているときに表示用ＬＥＤ３６を点灯させる点灯制御信号を表示部２０に送出し、蛍光ランプ９が正常点灯していないことを検出したときに、表示用ＬＥＤ３６を点滅させる点滅制御信号を表示部２０に送出する。表示部２０は、点灯制御信号または点滅制御信号に応じて、表示用ＬＥＤ３６を点灯または点滅させる。
【００６２】
記憶部２１は、目標照度、高周波点灯装置１の調光下限値などの諸データが記憶される。
【００６３】
伝送部２２は、ＰＷＭ調光信号発生回路２６を備え、このＰＷＭ調光信号発生回路２６の出力側が抵抗Ｒ６を介して調光信号出力端子２７，２７に接続されている。ＰＷＭ調光信号発生回路２６は、制御部２５に入力された照度センサ３２の検出電圧または外部装置１５の照明制御信号などの演算結果に基づき、ＰＷＭ調光信号を形成して出力するように形成されている。そして、調光信号出力端子２７，２７は、調光信号線１０，１０を介して高周波点灯装置１の調光信号入力端子４，４に接続されている。
【００６４】
短絡検出部２３は、高周波点灯装置１の調光信号入力端子４，４の間の短絡を検出するように形成されている。すなわち、調光信号出力端子２７，２７および調光信号入力端子４，４間は、互いに調光信号線１０，１０を介して接続されているので、ＰＷＭ調光信号発生回路２６が有電圧のＰＷＭ調光信号（オンデューティが０％を上回っているＰＷＭ調光信号）を出力しているときに、点灯状態検出回路７により調光信号入力端子４，４の間が短絡されると、抵抗Ｒ６に短絡電流が流れ、抵抗Ｒ６の両端に電圧が発生する。短絡検出部２３は、抵抗Ｒ６の両端電圧を検出するものである。
【００６５】
そして、短絡検出部２３は、抵抗Ｒ６の両端電圧を検出したときに、短絡検出信号を制御部２５に送出するように形成されている。短絡検出部２３から短絡検出信号が送出されるときは、短絡された調光信号入力端子４，４を有する高周波点灯装置１により付勢される蛍光ランプ９が正常点灯していないときであるので、高周波点灯装置１は、蛍光ランプ９が正常点灯していないことを調光信号線１０，１０により調光装置１１に送信していることになる。
【００６６】
そして、高周波点灯装置１において、ランプ接続検出回路（ランプ接続検出手段）が高周波出力端子３ａ〜３ｄおよび蛍光ランプ９が接続されていないことを検出し、点灯状態検出回路７が調光信号入力端子４，４の間の短絡を解除すると、抵抗Ｒ６に短絡電流が流れなくなり、短絡検出部２３は、短絡検出信号を制御部２５に送出することを停止する。
【００６７】
電源部２４は、商用交流電源Ｖｓに接続され、交流電圧を直流電圧に変換すると共に、所定の電圧値に調整して、制御部２５やその他の各構成部に駆動電源を供給するように構成されている。
【００６８】
制御部２５は、ＣＰＵ、ＲＡＭおよびプログラムが格納されたＲＯＭなどを具備している。そして、短絡検出部２３から短絡検出信号が入力されると、表示部２０に表示用ＬＥＤ３６を点滅させる点滅制御信号を送出するように形成されている。また、ワイヤレス送信部１８にランプ異常信号を送出し、送信用ＬＥＤ３４から外部装置１５に送信させるように形成されている。
【００６９】
また、制御部２５は、照明エリアが目標照度となるように、照度センサ３２の検出電圧に応じて蛍光ランプ９の調光率を演算し、この調光率に応じたＰＷＭ調光信号を伝送部２２のＰＷＭ調光信号発生回路２６に形成させる。また、外部装置１５から送信され、受信素子３３を介して入力された照明制御信号に応じて、蛍光ランプ９の調光率を演算し、この調光率に応じたＰＷＭ調光信号をＰＷＭ調光信号発生回路２６に形成させる。また、人感センサ３５からの人体検出信号に応じて、蛍光ランプ９の点消灯を制御する。あるいは、調光装置１１の駆動している状態を表示用ＬＥＤ３６の点灯により表示させるために表示部２０を制御するなど、各構成部の制御を行うように構成されている。
【００７０】
調光装置１１は、図３に示すように、通常、複数の高周波点灯装置１にＰＷＭ調光信号を送信している。すなわち、照明エリアは、それぞれ蛍光ランプ９を配設している複数の照明器具からの放射光により形成されており、それぞれの照明器具に当該蛍光ランプ９を付勢する高周波点灯装置１が配設されている。それぞれの高周波点灯装置１の調光信号入力端子４，４は、調光信号線１０，１０に並列的に接続されている。
【００７１】
そして、一本の蛍光ランプ９が正常点灯しなくなると、この蛍光ランプ９を付勢する高周波点灯装置１の調光信号入力端子４，４の間は、当該高周波点灯装置１の点灯状態検出回路７により短絡される。これにより、残余の高周波点灯装置１の調光信号入力端子４，４の間は、短絡されて無電圧となる。調光信号入力端子４，４の間が無電圧である状態は、調光信号入力端子４，４の間に無電圧のＰＷＭ調光信号が送信されていることと同じであるので、制御回路６の制御により、残余の高周波点灯装置１は、それぞれ残余の蛍光ランプ９を全光点灯させる。
【００７２】
そして、正常点灯していない蛍光ランプ９を付勢する高周波点灯装置１において、蛍光ランプ９を高周波出力端子３ａ〜３ｄに接続させなくすると、ランプ接続検出回路が高周波出力端子３ａ〜３ｄおよび蛍光ランプ９が接続されていないことを検出し、点灯状態検出回路７が調光信号入力端子４，４の間の短絡を解除する。これにより、残余の高周波点灯装置１の調光信号入力端子４，４の間は、開放され、調光装置１１から送信されるＰＷＭ調光信号が入力される。そして、残余の高周波点灯装置１は、調光装置１１から送信されるＰＷＭ調光信号に応じて、それぞれ残余の蛍光ランプ９を調光点灯させる。
【００７３】
図４は、上述のように構成された高周波点灯装置１および調光装置１１による一例としての照明装置２８である。
【００７４】
照明装置２８は、照明器具２９、センサ装置３０および外部装置１５の一例としての送信機３１を有して構成され、センサ装置３０に照度センサ３２、受信素子３３、送信用ＬＥＤ３４、人感センサ３５、表示用ＬＥＤ３６および調光装置１１が一体化されている。そして、照明器具２９およびセンサ装置３０は、天井面３７に配置されている。
【００７５】
照明器具３０は、蛍光ランプ９が配設されていると共に、内部に高周波点灯装置１が収納されている。そして、複数の照明器具３０が天井面３７に配設されており、複数の照明器具３０による照明により所定の照明エリア３８が形成されている。照明エリア３８は、外光および蛍光ランプ９の光出力（放射光）の変化により、照度が変化するが、通常、調光装置１１の制御により目標照度に一定化されている。
【００７６】
センサ装置３０は、図５に示すように、センサ装置本体３９、カバー４０および取付ばね４１，４１等を有して形成されている。そして、カバー４０には、外表面４０ａに露出するようにして、照度センサ３２、人感センサ３５、受信素子３３、送信用ＬＥＤ３４および表示用ＬＥＤ３６などが配設されている。また、センサ装置本体３９は、内部に調光装置１１（図示しない。）を収納し、側面３９ａに端子群４２を配設している。端子群４２は、調光装置１１と高周波点灯装置１を接続する出力端子などにより形成されている。
【００７７】
照度センサ３２は、複数の照明器具３０が照明する照明エリア３８からの反射光により当該照明エリア３８内の照度を間接的に検出し、調光装置１１に送出するように構成されている。人感センサ３５は、照明エリア３８に近づく人体を検出して調光装置１１を介して蛍光ランプ９を点灯させるものである。
【００７８】
受信素子３３は、送信機（リモコン）３１から送信される照明制御信号を受信して調光装置１１に送出するように構成されている。そして、送信用ＬＥＤ３４は、調光装置１１から送出された返信信号などをワイヤレス信号で送信機３１に向けて送信するものである。表示用ＬＥＤ３６は、調光装置１１により点灯制御または点滅制御されるものである。すなわち、調光装置が動作しているときに点灯され、蛍光ランプ９が正常点灯していないときに点滅される。表示用ＬＥＤ３６の点滅の有無により、蛍光ランプ９の点灯状態が視認される。
【００７９】
なお、調光装置１１は、センサ装置３０に一体である必要はなく、センサ装置３０と別体に構成されていてもよい。
【００８０】
次に、本発明の第１の実施形態の作用について述べる。
【００８１】
高周波点灯装置１は、点灯状態検出回路７により蛍光ランプ９の点灯状態を常時検出している。そして、不点や半波放電など、蛍光ランプ９が正常点灯していない状態になり、ランプ電圧（フィラメント電極９ａ，９ｂ間の電圧）が所定電圧以上になると、点灯状態検出回路７は、調光信号入力端子４，４の間を短絡する。
【００８２】
そして、図３において説明したように、調光信号線１０，１０に複数の高周波点灯装置１が並列的に接続されていると、ひとつの高周波点灯装置１の調光信号入力端子４，４の間の短絡により、残余の高周波点灯装置１の調光信号入力端子４，４の間も短絡されることになり、残余の高周波点灯装置１は、それぞれ付勢している蛍光ランプ９を全光点灯させる。
【００８３】
そして、調光信号入力端子４，４の間が短絡されると、調光装置１１の伝送部２２の抵抗Ｒ６に短絡電流が流れ、抵抗Ｒ６の両端に電圧が発生する。抵抗Ｒ６の両端に電圧が発生することにより、短絡検出部２３は、抵抗Ｒ６の両端電圧を検出可能となる。そして、短絡検出部２３は、抵抗Ｒ６の両端電圧を検出すると、制御部２５に短絡検出信号を送出する。
【００８４】
制御部２５は、短絡検出部２３から短絡検出信号が入力されると、蛍光ランプ９が正常点灯していないと判断する。そして、表示部２０に点滅制御信号を送出し、ワイヤレス送信部１８にランプ異常信号を送出する。
【００８５】
表示部２０は、制御部２５から送出された点滅制御信号に応じてセンサ装置３０に配設されている表示用ＬＥＤ３６を点灯状態から点滅状態にする。この表示用ＬＥＤ３６の点滅状態が目視されることにより、蛍光ランプ９が正常点灯していないことが認識される。
【００８６】
また、ワイヤレス送信部１８は、制御部２５から送出されたランプ異常信号に応じて、このランプ異常信号をセンサ装置３０に配設されている送信用ＬＥＤ３４から送信機３１に向かってワイヤレス信号で送信させる。送信機３１は、ランプ異常信号を受信すると、表示面３１ａに蛍光ランプ９が正常点灯していない旨を示す例えば「ランプ異常」を表示させる。このランプ異常の表示が目視されることにより、蛍光ランプ９が正常点灯していないことが認識される。なお、表示面３１ａへのランプ異常の表示に加え、ランプ異常を報知させる表示ランプが具備されていると、「ランプ異常」が目視されやすい。
【００８７】
表示用ＬＥＤ３６の点滅状態の目視または送信機３１の表示面３１ａにおけるランプ異常の表示の目視により、蛍光ランプ９が正常点灯していないことが認識されて、この蛍光ランプ９の交換が迅速に行われやすい。
【００８８】
そして、正常点灯していない蛍光ランプ９が照明器具２９より取り外される。すなわち、蛍光ランプ９は、高周波点灯装置１の高周波出力端子３ａ〜３ｄに接続されなくなる。すると、ランプ接続検出回路（ランプ接続検出手段）が高周波出力端子３ａ〜３ｄおよび蛍光ランプ９の非接続を検出し、点灯状態検出回路７が調光信号入力端子４，４の間の短絡を解除する。
【００８９】
そして、前記調光信号入力端子４，４の間の短絡が解除されることにより、残余の高周波点灯装置１の調光信号入力端子４，４の間の短絡も解除されることになる。これにより、残余の高周波点灯装置１の調光信号入力端子４，４の間に調光信号線１０，１０を介して調光装置１１からのＰＷＭ調光信号が入力され、このＰＷＭ調光信号に応じて残余の高周波点灯装置１は、それぞれの蛍光ランプ９を調光点灯させる。
【００９０】
調光装置１１の伝送部２２の抵抗Ｒ６に短絡電流が流れなくなり、短絡検出部２３は、抵抗Ｒ６の両端電圧を検出できなくなり、制御部２５への短絡検出信号の送出が停止される。制御部２５は、短絡検出信号の停止により、表示部２０に点灯制御信号を送出し、ワイヤレス送信部１８へのランプ異常信号の送出を停止する。これにより、表示部２０は、表示用ＬＥＤ３６を点滅状態から点灯状態に変化させる。また、ワイヤレス送信部１８は、送信機３１へのランプ異常信号の送信を停止する。
【００９１】
そして、蛍光ランプ９が取り外された照明器具２９に新品の蛍光ランプ９を取り付けることにより、この新品の蛍光ランプ９は、高周波点灯装置１の高周波出力端子３ａ〜３ｄに接続される。そして、調光信号入力端子４，４の間に送信される調光装置１１からのＰＷＭ調光信号に応じて調光点灯される。
【００９２】
上述したように、高周波点灯装置１は、蛍光ランプ９が正常点灯しなくなったときに、点灯状態検出回路７の動作により調光信号入力端子４，４の間を短絡し、調光装置１１が当該短絡を調光信号線１０，１０により検出するように構成しているので、高周波点灯装置１および調光装置１１間に蛍光ランプ９の正常点灯していない状態を検出する新たな信号線を設ける必要がないものである。すなわち、高周波点灯装置１は、構成が簡素（簡単）であり、安価に製造される。
【００９３】
なお、調光装置１１は、蛍光ランプ９を全光点灯させるとき、ＰＷＭ調光信号発生装置２６に対してオンデューティが０％を上回るＰＷＭ調光信号を出力させることが好ましい。すなわち、オンデューティ０％のＰＷＭ調光信号は、無電圧であり、高周波点灯装置１の調光信号入力端子４，４の間が短絡されたときに、調光信号線１０，１０および抵抗Ｒ６に短絡電流が流れず、短絡検出部２３による短絡電流の検出ができないものである。すなわち、蛍光ランプ９が全光点灯されるときに、蛍光ランプ９が正常点灯していない状態を検出できない。
【００９４】
しかし、ＰＷＭ調光信号発生装置２６に対してオンデューティが０％を上回るＰＷＭ調光信号を出力させると、ＰＷＭ調光信号は、有電圧であり、高周波点灯装置１の調光信号入力端子４，４の間が短絡されたときに、調光信号線１０，１０および抵抗Ｒ６に短絡電流が流れ、短絡検出部２３による短絡電流の検出可能となる。すなわち、蛍光ランプ９を全光点灯させているときであっても、蛍光ランプ９が正常点灯していない状態を検出可能となる。
【００９５】
また、図６に示す高周波点灯装置４３のように、ＰＷＭ調光信号発生装置２６は、複数の照明エリア３８にＰＷＭ調光信号を送信するようにしてもよい。このとき、伝送部４４は、それぞれの照明エリア３８に対する短絡検出用の抵抗Ｒ６が配設されている。それぞれの照明エリア３８のいずれか１つの蛍光ランプ９が正常点灯していないときに、短絡検出部２３により当該蛍光ランプ９の異常状態が検出される。
【００９６】
次に、本発明の第２の実施形態について述べる。
【００９７】
図７は、本発明の第２の実施形態を示す高周波点灯装置の回路図である。なお、図１と同一部分には同一符号を付して説明は省略する。
【００９８】
図７に示す高周波点灯装置４５は、図１に示す高周波点灯装置１において、フォトカプラＰＣ２のフォトトランジスタＰＴｒ２および整流装置１２の間に点灯状態接続手段として切換えスイッチ（選択スイッチ）ＳＷ１が接続されている。切換えスイッチＳＷ１は、調光信号入力端子４，４に点灯状態検出回路７を接続または非接続させる。
【００９９】
切換えスイッチＳＷ１をオンにすると、調光信号入力端子４，４および点灯状態検出回路７が接続され、図１に示す高周波点灯装置１となる。一方、切換えスイッチＳＷ１をオフにすると、調光信号入力端子４，４および点灯状態検出回路７が接続されなくなり、蛍光ランプ９が正常点灯していないことが検出されなくなるものである。
【０１００】
調光装置４６が高周波点灯装置４５の調光信号入力端子４，４の間の短絡を検出できないものであるとき、点灯状態検出回路７による蛍光ランプ９の点灯状態の検出は不要であるので、このとき、切換えスイッチＳＷ１はオフされる。すなわち、調光装置４６が従来（既設）の調光装置であり、調光信号線１０，１０を介して調光信号入力端子４，４の間の短絡を検出できない構成であるとき、高周波点灯装置４５において、切換えスイッチＳＷ１がオンされていると、図３において説明したように、ひとつの蛍光ランプ９が正常点灯できなくなって、ひとつの高周波点灯装置４５の調光信号入力端子４，４の間が短絡されると、残余の蛍光ランプ９は全光点灯されることになり、調光装置４６により調光点灯できなくなる。ここで、切換えスイッチＳＷ１がオフされていると、正常点灯できなくなった蛍光ランプ９が交換されるまでの間、調光装置４６により、残余の蛍光ランプ９は調光点灯される。
【０１０１】
そして、切換えスイッチＳＷ１は、高周波点灯装置４５の部品が実装されている回路基板に配設されていると、切換えの操作が行いやすいとともに、運搬時の振動などに対する格別の保護が不要である。
【０１０２】
また、照明器具２９が設置されるとき、調光装置４６が既設の調光装置であって、調光信号線１０，１０を介して調光信号入力端子４，４の間の短絡を検出できない構成であることが判っているときは、切換えスイッチＳＷ１を用いる代わりに、点灯状態検出回路７を構成する部品の一部を用いて、調光信号入力端子４，４および点灯状態検出回路７を接続させなくすることが可能である。例えば、点灯状態検出回路７の高価な部品であるフォトカプラＰＣ２、サイリスタＳＣＲ１やツェナーダイオードＺＤ１などの少なくとも１個を回路基板に実装しないことにより、切換えスイッチＳＷ１がオフである状態と同様の高周波点灯装置４５が構成される。
【０１０３】
次に、本発明の第３の実施形態について述べる。
【０１０４】
図８は、本発明の第３の実施形態を示す調光装置のブロック図である。なお、図２と同一部分には同一符号を付して説明は省略する。
【０１０５】
図８に示す調光装置４８は、図２に示す調光装置１１において、電源部２４の入力側に接続されている交流電源出力端子４８，４８を具備している。交流電源出力端子４８，４８は、電源線８，８を介して高周波点灯装置１の交流電源入力端子２，２に接続されている。すなわち、調光装置４７は、交流電源出力端子４８，４８から電源線８，８の２線、調光信号出力端子２７，２７から調光信号線１０，１０の２線の合計４線が導出され、それぞれ高周波点灯装置１の交流電源入力端子２，２および調光信号入力端子４，４に接続されている。そして、図３に示す調光信号線１０，１０と同様に、電源線８，８は、渡り線を用いて複数の高周波点灯装置１が並列的に接続される。
【０１０６】
照明エリア３８ごとに、調光装置４７から電源線８，８および調光信号線１０，１０が導出され、電源線８，８および調光信号線１０，１０にそれぞれ並列的に複数の高周波点灯装置１が接続されると、配線が簡素であり、配線作業が容易化される。
【０１０７】
次に、本発明の第４の実施形態について述べる。
【０１０８】
図９〜図１０は、本発明の第４の実施形態を示し、図９は照明装置の構成図、図１０は調光装置のブロック図である。なお、図２および図４と同一部分には同一符号を付して説明は省略する。
【０１０９】
図９に示す照明装置４９は、図４に示す照明装置２８において、天井面３７に配設されたセンサ装置３０に代えて、造営物としての壁面５０に調光装置５１が配設されているものである。調光装置５１の前面には、操作子５２および表示用ＬＥＤ３６が設けられ、内部に可変抵抗器（図示しない。）５３が配設されている。そして、操作子５２を移動させることにより、可変抵抗器５３の抵抗値が変化されるように形成されている。
【０１１０】
調光装置５１は、図１０に示すように、図２に示す調光装置１１において、照度入力部１６、ワイヤレス受信部１７、ワイヤレス送信部１８および人体検出部１９が除去され、代わりに外部信号入力部５４が形成され、この外部信号入力部５４が可変抵抗器５３に接続されている。外部信号入力部５４は、可変抵抗器５３の抵抗値に応じた調光制御信号を発生させて制御部２５に送出するように形成されている。
【０１１１】
制御部２５は、外部信号入力部５４からの調光制御信号に応じて、蛍光ランプ９の調光率を演算し、この調光率に応じたＰＷＭ調光信号をＰＷＭ調光信号発生回路２６に形成させる。すなわち、操作子５２の移動操作により、蛍光ランプ９の光出力（放射光）が変化される。
【０１１２】
そして、制御部２５は、短絡検出部２３から短絡検出信号が入力されると、蛍光ランプ９が正常点灯していないと判断して、表示部２０に点滅制御信号を送出する。表示部２０は、点滅制御信号に応じて調光装置５１の前面に配設されている表示用ＬＥＤ３６を点滅させる。この点滅状態が目視されることにより、蛍光ランプ９が正常点灯していないことが認識される。
【０１１３】
【発明の効果】請求項１の発明によれば、放電ランプが正常点灯していないときに、高周波点灯装置は、点灯状態検出手段により調光信号入力部の間が短絡され、この短絡を調光装置が調光信号線を介して検出するので、新たな信号線を設けることなく、放電ランプの不点などの異常状態を表示して認識させることができる。そして、調光信号線を介して前記短絡を検出するので、構成が簡素化でき、安価にできる。
【０１１４】
請求項２の発明によれば、調光信号入力部に点灯状態検出手段を接続する点灯状態接続手段を具備しているので、調光信号線を介して調光信号入力部の間の短絡を検出できるように構成されている調光装置または当該短絡を検出できないように構成されている既設の調光装置のいずれにも使用することができる。
【０１１５】
請求項３の発明によれば、切換えスイッチの切換え操作により、調光信号入力部に対する点灯状態検出手段の接続を容易に選択することができる。
【０１１６】
請求項４の発明によれば、点灯状態検出手段を構成する部品の一部の有無により、調光信号入力部に対する点灯状態検出手段の接続を選択することができる。
【０１１７】
請求項５の発明によれば、ランプ接続検出手段が高周波出力部および放電ランプの非接続を検出したときに、点灯状態検出手段が調光信号入力部の間の短絡を解除するので、残余の高周波点灯装置の調光信号入力部に有電圧の調光信号を入力することができ、調光装置から送信される調光信号により放電ランプを点灯させることができる。
【０１１８】
請求項６の発明によれば、放電ランプが正常点灯していないときに、その旨が表示されるので、放電ランプの不点などの異常状態を容易に認識させることができる。
【０１１９】
請求項７の発明によれば、放電ランプが正常点灯していないときに、その旨が外部装置に送信されるので、外部装置において、放電ランプの不点などの異常状態を容易に認識させることができる。
【０１２０】
請求項８の発明によれば、放電ランプが正常点灯していないときに、調光装置からランプ異常信号が送信機に送信されるので、送信機において、放電ランプの不点などの異常状態を容易に認識させることができる。
【図面の簡単な説明】
【図１】本発明の第１の実施形態を示す高周波点灯装置の回路図。
【図２】同じく、調光装置のブロック図。
【図３】同じく、調光装置への高周波点灯装置の接続図。
【図４】同じく、照明装置の構成図。
【図５】同じく、センサ装置の斜視図。
【図６】同じく、他の調光装置のブロック図。
【図７】本発明の第２の実施形態を示す高周波点灯装置の回路図。
【図８】本発明の第３の実施形態を示す調光装置のブロック図。
【図９】本発明の第４の実施形態を示す照明装置の構成図。
【図１０】同じく、調光装置のブロック図。
【符号の説明】
１，４５…高周波点灯装置、２…交流電圧入力部としての交流電圧入力端子、３ａ〜３ｄ…高周波出力部としての高周波出力端子、４…調光信号入力部としての調光信号入力端子、５…インバータ回路、６…制御回路、７…点灯状態検出手段および点灯状態接続手段としての点灯状態検出回路、９…放電ランプとしての蛍光ランプ、１１，４３，４７，５１…調光装置、２８，４９…照明装置、３１…送信機
【図１】
2004335109.tif 000003
【図２】
2004335109.tif 000004
【図３】
2004335109.tif 000005
【図４】
2004335109.tif 000006
【図５】
2004335109.tif 000007
【図６】
2004335109.tif 000008
【図７】
2004335109.tif 000009
【図８】
2004335109.tif 000010
【図９】
2004335109.tif 000011
【図１０】
2004335109.tif 000012
【手続補正書】
【提出日】平成16年9月2日(2004.9.2)
【手続補正１】
【補正対象書類名】明細書
【補正対象項目名】０１０７
【補正方法】削除
【補正の内容】
【手続補正２】
【補正対象書類名】明細書
【補正対象項目名】０１０８
【補正方法】削除
【補正の内容】
【手続補正３】
【補正対象書類名】明細書
【補正対象項目名】０１０９
【補正方法】削除
【補正の内容】
【手続補正４】
【補正対象書類名】明細書
【補正対象項目名】０１１０
【補正方法】削除
【補正の内容】
【手続補正５】
【補正対象書類名】明細書
【補正対象項目名】０１１１
【補正方法】削除
【補正の内容】
【手続補正６】
【補正対象書類名】明細書
【補正対象項目名】０１１２
【補正方法】削除
【補正の内容】
【手続補正７】
【補正対象書類名】明細書
【補正対象項目名】図面の簡単な説明
【補正方法】変更
【補正の内容】
【図面の簡単な説明】
【図１】本発明の第１の実施形態を示す高周波点灯装置の回路図。
【図２】同じく、調光装置のブロック図。
【図３】同じく、調光装置への高周波点灯装置の接続図。
【図４】同じく、照明装置の構成図。
【図５】同じく、センサ装置の斜視図。
【図６】同じく、他の調光装置のブロック図。
【図７】本発明の第２の実施形態を示す高周波点灯装置の回路図。
【図８】本発明の第３の実施形態を示す調光装置のブロック図。


【手続補正８】
【補正対象書類名】明細書
【補正対象項目名】符号の説明
【補正方法】変更
【補正の内容】
【符号の説明】
１，４５…高周波点灯装置、２…交流電圧入力部としての交流電圧入力端子、３ａ〜３ｄ…高周波出力部としての高周波出力端子、４…調光信号入力部としての調光信号入力端子、５…インバータ回路、６…制御回路、７…点灯状態検出手段および点灯状態接続手段としての点灯状態検出回路、９…放電ランプとしての蛍光ランプ、１１，４３，４７…調光装置、２８…照明装置、３１…送信機


【手続補正９】
【補正対象書類名】図面
【補正対象項目名】図９
【補正方法】削除
【補正の内容】
【手続補正１０】
【補正対象書類名】図面
【補正対象項目名】図１０
【補正方法】削除
【補正の内容】